【事件の表示】
　平成１０年特許願第３２８２８３号「脱穀装置」拒絶査定に対する審判事件［平成１１年　８月１０日出願公開、特開平１１−２１５９０９］について、次のとおり審決する。
【結　論】
　本件審判の請求は、成り立たない。
【理　由】
１．手続きの経緯・本願発明
　本願発明である特願平１０−３２８２８３号は、昭和６０年７月１２日に出願した特願昭６０−１５４６９８号の一部を平成７年４月１０日に新たな特許出願とし（特願平７−８３８９８号）、この出願の一部を平成８年１０月２１日に新たな特許出願とし（特願平８−２７８１０５号）、さらにこの出願の一部を平成９年１０月１４日に新たな特許出願とし（特願平９−２８０２５０号）、さらにこの出願の一部を平成１０年１１月１８日に新たな特許出願としたものである。
　そして、本願の請求項１に係る発明（以下「本願発明」という。）は、平成１４年７月８日に提出した手続補正書の特許請求の範囲に記載された次のとおりのものである。
「【請求項１】　脱穀室２の前壁１０に設ける供給口１１から全量供給される穀稈を後方へ移送しながら脱穀処理する脱穀胴１を脱穀室２に内装軸架し、該脱穀胴１の下側に配置し該脱穀胴１の下部外周に沿って前後に長く且つ正面視円弧状に形成した脱穀網３を設け、前記供給口１１は前記脱穀胴１と前記脱穀網３の間の前方で開口するように設けた脱穀装置において、前記脱穀網３は脱穀胴１下端部の略下方位置で左右に分割構成し、該左右に分割構成された脱穀網３の左右一方側の脱穀網３を脱穀室２の側壁体Ｆと一体で外側方へ揺動可能に構成し、該左右一方側の脱穀網３と側壁体Ｆの外側方への揺動により正面視で前記脱穀胴１の略下端部から左右一方側部分の下方に位置し且つ前記供給口１１の左右一方側部分の下方に位置する脱穀網３を外側方に退避させて脱穀胴１の一側方を開放する構成としたことを特徴とする脱穀装置。」
　
２．引用刊行物に記載の発明
　当審の拒絶理由で引用した実願昭５８−３４３５８号（実開昭５９−１５９２３３号）のマイクロフィルム（以下、「刊行物１」という。）には、以下の事項が記載されている。
1-a.「水平方向に設けられ、下部に受網を有する扱室内に扱胴を軸架し、この扱胴の周部に、その一側から他側に向け連続するように螺旋扱歯を設け、・・・とする脱穀装置。」（実用新案登録請求の範囲）
1-b.「従来周知の軸流方式の全量投込み型の脱穀装置においては、・・・本考案は上記の事情にかんがみなされたもので、スクリュー脱穀形式の脱穀装置の被脱穀物の扱室内における移動速度を任意に調節できるようにし、被脱穀物の状態に最も適した脱穀処理ができるようにした脱穀装置を提供することを目的とする。」（１頁１９行〜３頁１８行）
1-c.「第１図において、符号１は水平方向に設けた扱室で、この扱室１内には扱胴２が軸架してある。・・・扱室１の一側には供給口１１が設けられ被脱穀物が供給され、供給口１１と反対側の扱室１の他側には排稈口１２が開口している。」（４頁６行〜５頁５行、第１、２図参照）
　これらの記載及び第１ないし３図によれば、刊行物１には以下の発明が記載されていると認められる。
「扱室１に設ける供給口１１から全量供給される穀稈を後方へ移送しながら脱穀処理する扱胴２を扱室１に内装軸架し、該扱胴２の下側に配置し該扱胴２の下部外周に沿って前後に長く且つ正面視円弧状に形成した受網５を設け、前記供給口１１は前記扱胴２と前記受網５の間で開口するように設けた脱穀装置。」
　
　また、当審の拒絶理由で引用した実公昭５１−５３９６号公報（以下、「刊行物２」という。）には、以下の事項が記載されている。
2-a.「機体に軸架した扱胴２の外周面に沿わせて所定の範囲にわたりクリンプ網３を張設して扱室１を形成し、・・・該移送選別棚７の選別網８の上方に位置する前記クリンプ網３の一部分とその背後に設けた流穀板１１と、該流穀板１１との間に風路１２を形成して設けた機体の側板１３とを一体に枠組して開口枠１０を構成し、該開口枠を回動自在として機体の枢軸に支架するか、・・・脱穀機における機体内部開放装置。」（実用新案登録請求の範囲）
2-b.「扱室１は、内部に扱胴２を軸架しその外周面に沿わせて所定の範囲にクリンプ網３を張設して構成している。・・・そして、開口枠１０は、選別網８の上方に位置するクリンプ網３の一部分と、そのクリンプ網３の後方に位置する流穀板１１と、その流穀板１１との間に選別風路１２を構成する機体の側板１３とを一体に枠組して構成している。開口枠１０は、上部を機体の枢軸１４に枢着して機体内部の開閉ができるように回動可能に構成している。」（１頁２欄３１行〜２頁３欄１１行。第１、２図参照）
2-c.「以上のように、この考案は、・・・開口枠を回動自在として機体の枢軸に支架するか、あるいは、着脱の手段によって機体に取付けて機体内部を開放、閉塞できるように構成したものであるから、製作を簡単になし乍らも機体内部を掃除するにあたり一操作によって、クリンプ網の一部、流穀板、機体の側板を一体に作動して開放できるから操作が著しく容易になると共に機体の点検・掃除に要する所要時間を大幅に減少し得る優れた特徴を有するものである。」（２頁４欄１０〜２６行）
　
３．対比・判断
　本願発明と刊行物１に記載された発明を比較すると、
　刊行物１に記載された発明の「扱室１」、「供給口１１」、「扱胴２」、「受網５」は、
　本件発明の「脱穀室２」、「前壁１０に設ける供給口１１」、「脱穀胴１」、「脱穀網３」にそれぞれ相当する。
　したがって、両者は「脱穀室に設ける供給口から全量供給される穀稈を後方へ移送しながら脱穀処理する脱穀胴を脱穀室に内装軸架し、該脱穀胴の下側に配置し該脱穀胴の下部外周に沿って前後に長く且つ正面視円弧状に形成した脱穀網を設け、前記供給口は前記脱穀胴と前記脱穀網の間で開口するように設けた脱穀装置」である点で一致し、
　次の点で相違する。
（Ａ）本願発明では、供給口は脱穀室の前壁に設けられ、脱穀胴と脱穀網の間の前方で開口する構成であるのに対して、
　刊行物１に記載された発明では、供給口は脱穀胴と脱穀網の間で開口するようにしたものであるが、前方で開口する構成なのか明らかでない点。
（Ｂ）本願発明では、「脱穀網は脱穀胴下端部の略下方位置で左右に分割構成し、該左右に分割構成された脱穀網の左右一方側の脱穀網を脱穀室の側壁体と一体で外側方へ揺動可能に構成し、該左右一方側の脱穀網と側壁体の外側方への揺動により正面視で前記脱穀胴の略下端部から左右一方側部分の下方に位置し且つ供給口の左右一方側部分の下方に位置する脱穀網を外側方に退避させて脱穀胴の一側方を開放する構成」であるのに対して、
　刊行物１に記載された発明では、上記構成を備えていない点。
　
　上記相違点（Ａ）および（Ｂ）について検討する。
相違点（Ａ）について
　脱穀装置において、供給口を脱穀室の前壁に設け、脱穀胴と脱穀網の間の前方で開口するように構成することは周知である（一例として、実願昭５８−５６３０８号（実開昭５９−１６１９３３号）のマイクロフィルムがある。）。
　
相違点（Ｂ）について
　刊行物２に記載された発明の「扱室１」、「扱胴２」、「クリンプ網３」、「開口枠１０」は、
　本願発明の「脱穀室２」、「脱穀胴１」、「脱穀網３」、「側壁体Ｆ」にそれぞれ相当するから、
　刊行物２には「脱穀網は脱穀胴下方で左右に分割構成し、該左右に分割構成された脱穀網の左右一方側の脱穀網を脱穀室の側壁体と一体で外側方へ揺動可能に構成し、該左右一方側の脱穀網と側壁体の外側方への揺動により脱穀網を外側方に退避させて脱穀胴の一側方を開放する構成の脱穀装置」が記載されていると認められる。
　刊行物１に記載された発明は、フィードチェンを有しない全量供給型の脱穀装置であるから、脱穀室の形状は左右対称である。左右対称の装置を左右に分割する場合、装置の左右幅方向中間部で左右に分割することは一般的によく行われる設計的事項であるから、「脱穀網は脱穀胴下端部の略下方位置で左右に分割構成し、左右一方側の脱穀網と側壁体の外側方への揺動により正面視で前記脱穀胴の略下端部から左右一方側部分の下方に位置し且つ供給口の左右一方側部分の下方に位置する脱穀網を外側方に退避させて脱穀胴の一側方を開放する構成」とすることは、単なる設計的事項である。
　よって、上記刊行物１に記載された発明に上記刊行物２に記載された「脱穀網は脱穀胴下方で左右に分割構成し、該左右に分割構成された脱穀網の左右一方側の脱穀網を脱穀室の側壁体と一体で外側方へ揺動可能に構成し、該左右一方側の脱穀網と側壁体の外側方への揺動により脱穀網を外側方に退避させて脱穀胴の一側方を開放する構成」を施して上記相違点（Ｂ）の構成とすることは、当業者が容易に想到し得る事項である。
　
　そして、本願発明の奏する効果は、上記刊行物１及び２に記載された発明並びに周知技術から当業者が容易に予測し得るものであって、格別顕著なものとも認められない。
　
４．むすび
　よって、本願発明は、上記刊行物１及び２に記載された発明に基づいて当業者が容易に発明をすることができたものであるから、特許法第２９条第２項の規定により特許を受けることができない。